(57)【要約】      （修正有） 【課題】齲蝕や歯周病などの歯科の疾患を対象として、菌叢制御を主目的とした高精度な治療、予防をする。【解決手段】主に診断ナビゲーション手段を使用することにより、最高ｐＨ計測手段、最低ｐＨ計測手段、デルタｐＨ計測手段、基準時間ｐＨ計測手段、時間面積ｐＨ計測手段のいずれかまたはその組み合わせを備えるので容易にｐＨ値にもとずく齲蝕リスクや歯周病リスクなどが判明するので、病原菌や菌叢の診断ができる。【選択図】図１
2005143603.tif 000002
【特許請求の範囲】
【請求項１】
歯科診断装置は、診断ナビゲーション手段を備えることを特徴とする歯科診断装置。
【請求項２】
歯科診断装置は、最高ｐＨ計測手段、最低ｐＨ計測手段、デルタｐＨ計測手段、基準時間ｐＨ計測手段、時間面積ｐＨ計測手段のいずれかまたはその組み合わせを備える事を特徴とする歯科診断装置。
【発明の詳細な説明】
【技術分野】
【０００１】
本発明は、歯科診断に関する技術である。
【背景技術】
【０００２】
従来には、菌叢制御（フローラコントロール）による歯科診断に関する技術、装置、方法はなかった。
【発明の開示】
【発明が解決しようとする課題】
【０００３】
従来の歯科診断は、歯牙の欠損、歯周組織の損傷などの視覚的な状況をみて、その羅漢部位を取り除いたり、それを補ったりしていたのみで、そらら疾患の原因である齲蝕菌、歯周病菌などの除菌、減菌など菌叢制御などにおける診断を基礎とした診断治療はなされていないかった。
【課題を解決するための手段】
【０００４】
１〔請求項１の手段〕
請求項１の歯科診断装置は、
診断ナビゲーション手段を備えることを特徴とする。
２〔請求項２の手段〕
歯科診断装置は、最高ｐＨ計測手段、最低ｐＨ計測手段、デルタｐＨ計測手段、基準時間ｐＨ計測手段、時間面積ｐＨ計測手段のいずれかまたはその組み合わせを備える事を特徴とする。
【発明の効果】
【０００５】
１〔請求項１の作用および効果〕
請求項１の歯科診断装置は、
診断ナビゲーション手段を備えることを特徴とするので、容易に菌叢制御にもとずく診断が実現できる。
２〔請求項２の作用および効果〕
請求項２の歯科診断装置は、
最高ｐＨ計測手段、最低ｐＨ計測手段、デルタｐＨ計測手段、基準時間ｐＨ計測手段、時間面積ｐＨ計測手段のいずれかまたはその組み合わせを備える事を特徴とするので容易にｐＨ値にもとずく齲蝕リスクや歯周病リスクなどが判明するので、容易に菌種あるいは菌叢の病原性などが計測できる。またそれにもとずき病原菌や菌叢の診断ができる。
【発明を実施するための最良の形態】
【０００６】
本発明の歯科診断装置を、図１〜図８に示す実施例または変形例に基づき説明する。
菌叢制御を基本とした診断あるいはその診断のための計測を実施の形態とする。
【０００７】
〔実施例の構成〕
一例として歯科診断装置（手段、方法）は、主用手段として、。
【０００８】
１    診断ナビゲーション手段  （一例として図１、図２  ）
診断ナビゲーション手段は、図１，図２における対話型のユーザーインターフェイスを備えたフローチャート手段よりなる。
【０００９】
ここで図２のごとく一例として検査手段を挿入してもよいし、全く独立して検査手段が作動しても良い。そしてここに各種ｐＨ計測手段を採用しても良い。検査手段は、菌叢制御や生体の健康増進のための情報を提供する。
【００１０】
［効果］
歯科診断装置は、菌叢制御にもとずく診断がきでる。これにより従来では到達しえなかった精度での診断、治療、予防ができる。
【００１１】
前記手段は、術者や製造者が取捨選択し使用、製造する。
【００１２】
【実施例１】
【００１３】
第１実施例は、診断ナビゲーション手段を使用した歯科診断装置である。
【００１４】
［第１実施例の形態］
診断ナビゲーション手段を実施の形態とする。
【００１５】
［構成］
歯科診断装置は、主要手段として診断ナビゲーション手段からなる。診断ナビゲーション手段は、図１，図２のフローチャート手段からなる。フローチャート手段は、画面や機械スイッチからなるマンマシンインターフェイスである。Ｓｔａｒｔボタンをおすと、次のボタンと前のボタンと次のボタンとのラインなどが強調表示または点灯する。そしてそのボタンを押すと表示手段が内容を表示する。その内容にＹｅｓやＮｏで答えるなどすると、次のボタンにすすむ。これを繰り返してゆくと菌叢制御にもとずく診断ができる。これらの構成は、コンピュータのソフトで実現してもよいし、またハードウエアのみで実現してもよいし、またその組み合わせでもよい。
【００１６】
［動作］
一例として画面上上のＳｔａｒｔ位置から出発する。具体的には、歯科診断装置の電源をＯｎにすると、画面に図１あるいは、図２があらわれる。
【００１７】
そしてＳｔａｒｔボタンを押すとその下の矢印が起動しＣａｎｄｉｄａ検出手段  Ａｌｌが点灯など強調表示される。
【００１８】
ここでボタンの表示があるとそれにつながるボタン間のラインも点灯などの強調表示をし、行き道を正確にする。
【００１９】
この時このボタンをおすなどすると、Ｃａｎｄｉｄａ検出手段Ａｌｌのマニュアルが表示される。一例として「Ｃａｎｄｉｄａ培地の指定、培養方法、採取方法」などである。
【００２０】
そしてこれをもとに術者が、一例として口腔内を綿棒でなでて、それを試験管の斜面培地などのＣａｎｄｉｄａ培地などに塗布する。そしてこの培養結果が陽性であればＹｅｓボタンをおす。陰性ならＮｏボタンを押す。
【００２１】
Ｙｅｓの場合、「ファンギゾンシロップなど」ボタンが強調表示される。そしてこのボタンを押すと、抗真菌剤の塗布、ファンギゾンシロップ２４ｍｌなどを塗布投与する。
【００２２】
そして同様に根尖性歯周組織炎とＣａｎｄｉｄａ検出手段  Ｐａｔが強調表示される。
根尖性歯周組織炎ボタンをおすと、歯周組織炎検査を表示する。それに従いＸ−線やＭＲＩ撮影をおこない、根尖性歯周組織炎の有無を確認する。存在すればＹｅｓ、存在しなければＮｏである。
【００２３】
Ｙｅｓの場合根管治療ボタンが強調表示される。そしてこのボタンを押すと、根管治療表示をする。
【００２４】
根管治療ボタンを押した後もしくは根尖性歯周組織炎ボタンのＮｏボタンを押した後は、辺縁性歯周組織炎ボタンが強調表示される。そしてこのボタンを押すと辺縁性歯周組織炎の治療表示がなされる。このボタンを押した後には、終了ボタンが強調表示される。これを押してＹｅｓかＮｏボタンを選択する。Ｎｏだと終了である。ＹｅｓだとＳｔａｒｔボタン直下のＣａｎｄｉｄａ検出手段Ａｌｌボタンが強調表示される。
【００２５】
一方ファンギゾンシロップなどボタンを押した後に、Ｃａｎｄｉｄａ検出手段Ｐａｔボタンが強調表示されている。このボタンを押すと個々の歯牙に対してのＣａｎｄｉｄａ検査手段が表示される。これを術者が行いどの歯牙にＣａｎｄｉｄａが感染しているかを検出する。そして検出されたＣａｎｄｉｄａ漏洩歯牙（とくに全部鋳造冠におおい）の歯式入力手段にて感染歯牙を入力する。するとＣ処ボタンが強調表示される。そのボタンを押すとＣ処の内容、とくにＣａｎｄｉｄａ除菌、他の感染細菌除菌を表示する。そしてこのボタンを押した後には、Ｃａｎｄｉｄａ検出手段  Ａｌｌボタンが強調表示される。
【００２６】
一方Ｌａｃｔｏｂａｃｉｌｌｕｓ検出手段Ａｌｌボタンも強調表示される。そしてこのボタンを押すとＬａｃｔｏｂａｃｉｌｌｕｓ検出が表示される。そして一例としてＬａｃｔｏｂａｃｉｌｌｕｓ培地試験管内の斜面培地などに綿棒で採取し、斜面に塗布するなどｓる。そして培養し陽性ならＹｅｓ、陰性ならＮｏボタンを押す。
【００２７】
Ｎｏの場合、リーク検出手段ボタンが強調表示される。そしてこのボタンを押すと、リーク検出手段が表示される。そして一例としてＸ−線検査などによりリークを検査する。この結果リーク修復物があれば、Ｙｅｓボタンを、なければＮｏボタンを押す。そしてＹｅｓの場合、補綴ボタンが強調表示される。そしてこのボタンを押すと補綴内容が表示される。
【００２８】
そして終了ボタンが強調表示される。終了ならＹｅｓを、終了でないのなるＮｏをおす。
Ｎｏを押すとＣａｎｄｉｄａ検出手段ボタンの表示となる。
【００２９】
以上の動作を繰り返すことにより、最適な菌叢制御をおこないながらの治療、予防となっていく。
【００３０】
［効果］
容易に菌叢制御にもとずく診断が実現できる。
【実施例２】
【００３１】
第２実施例は、各種特徴ｐＨ計測手段を使用した歯科診断装置あるいは歯科ｐＨ計測装置である。これは、図２の検査手段に組み込まれても良いし、また単独で使用しても良い。組み込まれた場合は、歯科診断装置の一手段として動作してゆく。
【００３２】
［第２実施例の形態］
各種特徴ｐＨ計測手段、すなわち最高ｐＨ計測手段、最低ｐＨ計測手段、デルタｐＨ計測手段、基準時間ｐＨ計測手段、時間面積ｐＨ計測手段のいずれかまたはその組み合わせからなる計測手段を実施の形態とする。
【００３３】
［構成］
歯科ｐＨ計測装置は、図３または図４のｐHセンサモジュールと図５，図６，図７などの後述で示される個々の特徴ｐH計測手段（特定ｐH計測手段）のいずれかひとつ、またはその組み合わせにて構成される。
【００３４】
図３に一例としてｐH電極に（IS）FETタイプの電極を使用したｐHセンサモジュールを使用した。（電極はガラス電極などの他のｐH電極でも良い。）図３においてｐHセンサモジュールよりの信号を必要ならBufferingまたは増幅し、A/D変換器を介し、後段の特徴ｐH測定手段に接続する。すなわちこのセンサモジュールは、センサ部分に試料をのせるとｐH値がアナログあるいはデジタル信号にて出力するものである。これは、特願２００２ー１３７８４１健康計測診査装置における図１０のモジュールとおなじである。
【００３５】
図４は、特願２００２ー１３７８４１健康計測診査装置における図１１のモジュールとおなじである。
【００３６】
図５は、特願２００２ー１３７８４１健康計測診査装置における最高ｐＨ計測手段と最低ｐＨ計測手段とをくみあわせたものである。
ここで前記ｐＨセンサモジュールからの出力信号を入力信号とする。
その信号を最高ｐＨ計測手段と最低ｐＨ計測手段に入力する。
【００３７】
図６は、特願２００２ー１３７８４１健康計測診査装置における基準時間ｐＨ計測手段である。
ここで前記ｐＨセンサモジュールからの出力信号を入力信号とする。この信号において閾値を永久歯の標準臨界ｐＨである５．５などに設定すると便利である。もちろん乳歯や個々の歯牙の臨界ｐＨを使用してもよい。
【００３８】
図７は、最高ｐＨ計測手段と最低ｐＨ計測手段のΔｐＨ計測手段と、最高ｐＨ計測手段と最低ｐＨ計測手段を組み合わせたものである。
ここで前記ｐＨセンサモジュールからの出力信号を入力信号とし、各特徴ｐＨ計測手段に信号が入力される。
【００３９】
さらにここで、ΔｐＨ計測手段に積分定数手段、規定極性反転回数比較手段、極性反転回数手段、極性反転トリガ手段、マイナス極性トリガ手段、プラス極性トリガ手段、極性手段のいずれかまたはその組み合わせを備えても良い。これら手段は、術者や製造者が取捨選択し使用、製造する。
【００４０】
トリガ信号発生手段は、min＜ｐＨ値＜max  閾値にてトリガを発生する手段であり、各特徴ｐＨ計測手段に設けても良い。さらにこのトリガ発生手段は、閾値を超えたときトリガを発生する手段であってもよいし、また閾値を切ったときにトリガを発生する手段であってもよい。さらにまたシュミットトリガを採用してチャタリングのないトリガを発生しても良い。
【００４１】
積分手段は、図８における特徴ｐＨ以外のノイズを減少させるためのフィルターであり既知の積分回路にて実現される。
【００４２】
規定極性反転回数比較手段は極性反転トリガ手段の出力信号をカウントする既知のカウンタ回路を使用する。
【００４３】
極性反転回数手段は、ΔｐＨ計測手段の出力あるいは、極性手段の出力信号の立ち上がりを検出しトリガ信号を出力するワンショットマルチバイブレーターやカウンタなどを使用する。
【００４４】
極性反転トリガ手段は、ΔｐＨ計測手段の出力あるいは、極性手段の出力信号の立ち上がりまたは、たち下がりによりトリガ信号を出力するワンショットマルチバイブレーターやカウンタなどを使用する。
時間トリガは、タイマー回路や水晶発振回路とカウンタ回路を使用する。
【００４５】
マイナス極性トリガ手段は、ΔｐＨ計測手段の出力あるいは、極性手段の出力信号の立ち下がりを検出しトリガ信号を出力するワンショットマルチバイブレーターやカウンタなどを使用する。
【００４６】
プラス極性トリガ手段、ΔｐＨ計測手段の出力あるいは、極性手段の出力信号の立ち上がりを検出しトリガ信号を出力するワンショットマルチバイブレーターやカウンタなどを使用する。
【００４７】
極性手段は、信号の極性が＋に変化すると出力値＋１（＋Ｖｃｃなど）となり、マイナスになるとー１（ーＶｃｃなど）となる３値出力は、具体的に終段の電力段プッシュプル回路の電源が±の電源となっている通常の増幅回路、オペアンプにおいてそのゲインが最大限となるように設定された既知のスイッチング回路などである。
２値出力では、ＴＴＬ、単電源アンプなどを使用して規格化された２値出力を得てもよいし、またΔｐＨ計測手段の出力をそのまましようしても良い。この場合ΔｐＨ計測手段の出力がＴＴＬ規格であってもよい。
以上の各手段は、ハードウェアで実現してもよいし、またソフトウエアで実現しても良い。
【００４８】
［動作］
電源をＯｎにすると、ｐＨセンサモジュールが動作してｐＨ０の出力信号を出力する。そして特願２００２ー１３７８４１健康計測診査装置のｐＨ計測手段同様に歯垢をセンサモジュールにのせて試薬、一例として５％蔗糖液を滴下する。すると図８の上図のごとく信号が変化してゆく。それに従い前記トリガ信号が図８下図のごとく出力される。
【００４９】
ここで前記手段の出力を図８の下図にしめす。これらのトリガ信号のいずれかまたはその組み合わせのトリガ信号を各特徴ｐＨ計測手段すなわちΔｐＨ、最高ｐＨ、最低ｐＨなどの各計測手段のスタート信号（トリガ入力）に入力（接続）することにより、任意のΔｐＨ、最高ｐＨ、最低ｐＨ、基準時間ｐＨなどのいずれかまたはその組み合わせが自動的かつ正確に計測される。
【００５０】
一例として、極性手段信号のたち下がり後の立ち上がりを検出する検出手段をＴＴＬ、ＡＳＩＣ、ＰＬＤなどにてくみその信号時のｐＨ値を記憶する記憶手段をもうける。するとその記憶値は、最低ｐＨとなるなどである。これらのトリガ信号のいずれを選択するかは、製造者、術者の自由である。
【００５１】
［効果］
容易にｐＨ値にもとずく齲蝕リスクや歯周病リスクなどが判明するので、容易に菌種あるいは菌叢の病原性などが計測できる。またそれにもとずき病原菌や菌叢の診断ができる。
図７のｐＨ計測手段では、歯垢のｐＨ変化のほとんどすべてが正確にかつ自動的に計測できる。このうちのどの値をとるかにより手段を取捨選択しても良い。
【００５２】
また最高ｐＨ計測手段は、歯垢の最高ｐＨが計測できるので齲蝕抵抗性が判明する。
最低ｐＨ計測手段は、歯垢の最低ｐＨが計測できるので齲蝕リスクが判明する。
デルタｐＨ計測手段は、歯垢のデルタｐＨ（最悪値など）が計測できるので齲蝕リスクが判明する。
基準時間ｐＨ計測手段は、歯垢の基準時間ｐＨ（ある一定時間におけるｐＨ値）が計測できるので齲蝕リスクが判明する。
時間面積ｐＨ計測手段は、歯垢の時間面積ｐＨが計測できるので齲蝕リスクが判明する。
【００５３】
［変形例］
前記計測手段は、ハードウエアで実現してもよいし、またソフトウエアで実現しても良い。また図８の値を記憶手段に記憶して、その後解析を行っても良い。
【００５４】
〔総合変形例〕
【００５５】
図２における検査手段に特願２００２ー１３７８４１健康計測診査装置を使用しても良い。一例として前記実施例１の画面が、特願２００２ー１３７８４１健康計測診査装置の検診手段あるいは、フローチャート手段から起動するようにしてもよいなどである。さらにまた本発明図２のナビゲーション手段の検査手段の部分を特願２００２ー１３７８４１健康計測診査装置の検診手段あるいは、フローチャート手段に接続して使用しても良い。
【００５６】
前記実施例または変形例は単独で実施しても良いし、また組み合わせて実施しても良い。また他の用途に使用しても良い。一例として
また特願２００２ー１３７８４１健康計測診査装置と組み合わせて使用しても良い。
【００５７】
前記手段は、術者や製造者が取捨選択し使用、製造する。
【００５８】
本ナビゲーションにより的確な治療もできることはいうまでもない。
【産業上の利用可能性】
【００５９】
本歯科診断装置は、的確な治療、予防、診断ができる。
【図面の簡単な説明】
【００６０】
【図１】診断ナビゲーション手段の一例。
【図２】診断ナビゲーション手段の一例。
【図３】ｐＨセンサモジュールの一例。
【図４】ｐＨセンサモジュールの一例。
【図５】特徴ｐＨ計測手段の一例。
【図６】特徴ｐＨ計測手段の一例。
【図７】特徴ｐＨ計測手段の一例。
【図８】図７の手段における信号例。
【図１】
2005143603.tif 000003
【図２】
2005143603.tif 000004
【図３】
2005143603.tif 000005
【図４】
2005143603.tif 000006
【図５】
2005143603.tif 000007
【図６】
2005143603.tif 000008
【図７】
2005143603.tif 000009
【図８】
2005143603.tif 000010